(57)【要約】【課題】紙幣挿入口に紙幣を挿入させることを容易にした自動販売機を提供すること。【解決手段】前面に形成された紙幣挿入口１０より紙幣Ａが挿入され、該紙幣Ａがビルバリデータ１４に受け入れられた場合、機内に収容する商品のうち選択された商品を払い出して販売する自動販売機において、外扉５ｃの前面に接した基端部２１から先端部２２に向けて該前面から漸次離隔する態様で斜上方に向けて延設され、上面２４に少なくとも一部が載置された紙幣Ａが先端部２２から基端部２１に向けて摺動する場合に紙幣Ａを紙幣挿入口１０に案内するガイド部材２０を備えたものであり、ガイド部材２０は、基端部２１から先端部２２に向けてその縦断面が湾曲してなることが好ましい。【選択図】図４
2010238073.tif 000002
【特許請求の範囲】
【請求項１】
前面に形成された紙幣挿入口より紙幣が挿入され、該紙幣が紙幣処理機に受け入れられた場合、機内に収容する商品のうち選択された商品を払い出して販売する自動販売機において、
前記前面に接した基端部から先端部に向けて該前面から漸次離隔する態様で斜上方に向けて延設され、上面に少なくとも一部が載置された紙幣が前記先端部から前記基端部に向けて摺動する場合に該紙幣を前記紙幣挿入口に案内するガイド部材を備えたことを特徴とする自動販売機。
【請求項２】
前記ガイド部材は、前記基端部から前記先端部に向けてその縦断面が湾曲してなることを特徴とする請求項１に記載の自動販売機。
【請求項３】
前記ガイド部材の基端部に前記紙幣を押さえつけ、自身の回転により該紙幣を前記紙幣挿入口に挿入させるローラ部材を備えたことを特徴とする請求項１又は請求項２に記載の自動販売機。
【請求項４】
前面に形成された紙幣挿入口と、
前記前面における前記紙幣挿入口の下部より前方に突出する態様で配設され、前記紙幣挿入口に挿入させる紙幣を載置する受台と
を備え、前記紙幣挿入口より紙幣が挿入されて紙幣処理機に受け入れられた場合、機内に収容する商品のうち選択された商品を払い出して販売する自動販売機において、
前記受台に紙幣が載置されたことを検知する載置検知手段と、
前記載置検知手段により前記受台に紙幣が載置されたことが検知された場合に、下降移動して前記受台に前記紙幣を押さえつけ、自身の回転により該紙幣を前記紙幣挿入口に挿入させるローラ部材と
を備えたことを特徴とする自動販売機。
【発明の詳細な説明】
【技術分野】
【０００１】
本発明は、自動販売機に関するものである。
【背景技術】
【０００２】
従来、前面が開口した直方状をなして内部に商品を収納する自動販売機本体と、この自動販売機本体の前面開口を開閉し、かつ自動販売機自身の前面を構成する外扉とを備えた自動販売機において、次のようなものが知られている。すなわち、外扉に紙幣挿入口が形成され、かかる紙幣挿入口より紙幣が挿入され、該紙幣がビルバリデータと称される紙幣処理機に受け入れられた場合に、自動販売機本体内に収容する商品のうち選択された商品を払い出して販売するものである（例えば、特許文献１参照）。
【先行技術文献】
【特許文献】
【０００３】
【特許文献１】特開２００６−２４４３６７号公報
【発明の概要】
【発明が解決しようとする課題】
【０００４】
ところが、上述した自動販売機では、前面（外扉）に紙幣挿入口が開口して設けられていただけなので、利用者は、紙幣を伸ばして、両手で紙幣挿入口に紙幣を挿入させるのが一般的であった。そのため、例えば手が不自由な身障者や、背の低い子供等が利用者の場合に、紙幣挿入口に紙幣を挿入させるのは困難であった。
【０００５】
紙幣挿入口に紙幣を挿入させることを容易にするために、上述した特許文献１には示されていないが、外扉における紙幣挿入口の下部に前方に突出した態様で設けられ、かつ紙幣挿入口に挿入するための紙幣を載置する受台が配設された自動販売機も知られている。
【０００６】
しかしながら、このような自動販売機の受台も紙幣を載置する載置面は略水平面であり、紙幣挿入口より紙幣を挿入させるには、紙幣を受台に押さえつける必要があり、両手で行わなければならないのが実情である。
【０００７】
本発明は、上記実情に鑑みて、紙幣挿入口に紙幣を挿入させることを容易にした自動販売機を提供することを目的とする。
【課題を解決するための手段】
【０００８】
上記目的を達成するために、本発明の請求項１に係る自動販売機は、前面に形成された紙幣挿入口より紙幣が挿入され、該紙幣が紙幣処理機に受け入れられた場合、機内に収容する商品のうち選択された商品を払い出して販売する自動販売機において、前記前面に接した基端部から先端部に向けて該前面から漸次離隔する態様で斜上方に向けて延設され、上面に少なくとも一部が載置された紙幣が前記先端部から前記基端部に向けて摺動する場合に該紙幣を前記紙幣挿入口に案内するガイド部材を備えたことを特徴とする。
【０００９】
また、本発明の請求項２に係る自動販売機は、上述した請求項１において、前記ガイド部材は、前記基端部から前記先端部に向けてその縦断面が湾曲してなることを特徴とする。
【００１０】
また、本発明の請求項３に係る自動販売機は、上述した請求項１又は請求項２において、前記ガイド部材の基端部に前記紙幣を押さえつけ、自身の回転により該紙幣を前記紙幣挿入口に挿入させるローラ部材を備えたことを特徴とする。
【００１１】
また、本発明の請求項４に係る自動販売機は、前面に形成された紙幣挿入口と、前記前面における前記紙幣挿入口の下部より前方に突出する態様で配設され、前記紙幣挿入口に挿入させる紙幣を載置する受台とを備え、前記紙幣挿入口より紙幣が挿入されて紙幣処理機に受け入れられた場合、機内に収容する商品のうち選択された商品を払い出して販売する自動販売機において、前記受台に紙幣が載置されたことを検知する載置検知手段と、前記載置検知手段により前記受台に紙幣が載置されたことが検知された場合に、下降移動して前記受台に前記紙幣を押さえつけ、自身の回転により該紙幣を前記紙幣挿入口に挿入させるローラ部材とを備えたことを特徴とする。
【発明の効果】
【００１２】
本発明によれば、前面に接した基端部から先端部に向けて該前面から漸次離隔する態様で斜上方に向けて延設されたガイド部材が、上面に少なくとも一部が載置された紙幣が先端部から基端部に向けて摺動する場合に該紙幣を前記紙幣挿入口に案内するので、利用者は片手で紙幣を紙幣挿入口に挿入させることも可能になり、例えば手が不自由な身障者や、背の低い子供等が利用者であっても紙幣挿入口に紙幣を比較的に容易に挿入させることができるという効果を奏する。
【００１３】
また、本発明によれば、載置検知手段により受台に紙幣が載置されたことが検知された場合に、ローラ部材が下降移動して受台に紙幣を押さえつけ、自身の回転により該紙幣を紙幣挿入口に挿入させるので、利用者は片手で紙幣を紙幣挿入口に挿入させることも可能になり、例えば手が不自由な身障者や、背の低い子供等が利用者であっても紙幣挿入口に紙幣を比較的に容易に挿入させることができるという効果を奏する。
【図面の簡単な説明】
【００１４】
【図１】図１は、本発明の実施の形態１である自動販売機の内部構造を示す斜視図である。
【図２】図２は、本発明の実施の形態１である自動販売機の内部構造を示す斜視図である。
【図３】図３は、外扉の前面の要部を拡大して示す斜視図である。
【図４】図４は、図３に示したガイド部材及び紙幣挿入口を拡大して示す断面側面図である。
【図５】図５は、図３に示したガイド部材及び紙幣挿入口を拡大して示す断面側面図である。
【図６】図６は、本発明の実施の形態１である自動販売機の変形例の要部を拡大して示す断面側面図である。
【図７】図７は、本発明の実施の形態２である自動販売機の要部を拡大して模式的に示す模式図である。
【発明を実施するための形態】
【００１５】
以下に添付図面を参照して、本発明に係る自動販売機の好適な実施の形態について詳細に説明する。
【００１６】
＜実施の形態１＞
図１及び図２は、それぞれ本発明の実施の形態１である自動販売機の構成を示したものであり、ともに内部構造を示す斜視図である。ここで例示する自動販売機は、缶入り飲料やペットボトル入り飲料等の商品を販売するためのもので、本体キャビネット１を備えている。
【００１７】
本体キャビネット１は、前面が開口した直方状の断熱筐体として形成されたものである。この本体キャビネット１の内部には、複数の独立した商品収容庫２ａ，２ｂ，２ｃが左右に並設してある。これら商品収容庫２ａ，２ｂ，２ｃは、缶入り飲料やペットボトル入り飲料等の商品を所望の温度に維持した状態で収容するためのものである。各商品収容庫２ａ，２ｂ，２ｃには、それぞれの上方部に、商品収納ラック３が配設してある一方、搬出シュータ４によって区画される下方部に、熱交換器（図示せず）が配設してあり、該熱交換器の駆動により、商品収納ラック３に収納された飲料缶やペットボトルを所望の冷却温度、あるいは加熱温度に維持することが可能である。
【００１８】
上記自動販売機には、本体キャビネット１の一側縁部に扉体５を設けてある。扉体５は、本体キャビネット１の前面開口を開閉するためのもので、内扉５ａ、中扉５ｂ及び外扉５ｃを備えて構成してある。内扉５ａは、本体キャビネット１に設けた商品収容庫２ａ，２ｂ，２ｃの前面を覆うに十分な大きさを有したものである。図示の例では、内扉５ａを上下に分割し、それぞれを個別に開閉できるようにしてある。
【００１９】
中扉５ｂは、内扉５ａの前面側に配設したものである。この中扉５ｂには、その前面側上部に販売商品の商品見本Ｓを左右に並べて一列に載置した棚６が上下方向に複数段（図示の例では３段）に並べて配設してある。また、中扉５ｂには、その前面側下部に広告パネル７が配設してある。
【００２０】
外扉５ｃは、本体キャビネット１の前面開口を覆うに十分な大きさを有したものである。この外扉５ｃには、その前面側にディスプレイウィンドウ８、商品選択ボタン９、紙幣挿入口１０（図４参照）及び商品取出口１１が設けてあるとともに、図には明示しないが、コイン投入口、一体表示器、コイン返却口が設けてある。一方、外扉５ｃの後面側には、コインメック１２、コイン回収箱１３、ビルバリデータ（紙幣処理機）１４が設けてある。
【００２１】
ディスプレイウィンドウ８は、中扉５ｂに配置した商品見本Ｓ及び広告パネル７を利用者に視認させるための窓である。商品選択ボタン９は、利用者が購入商品を選択するための押ボタンスイッチであり、ディスプレイウィンドウ８を通じて視認される商品見本Ｓ毎に用意してある。
【００２２】
紙幣挿入口１０は、利用者が紙幣Ａ（図４等参照）を挿入するための開口である。この紙幣挿入口１０を通じて挿入された紙幣Ａは、ビルバリデータ１４においてその金種が識別されることになる。また上記紙幣挿入口１０は、ビルバリデータ１４において識別できなかった紙幣Ａを返却するための機能を有している。商品取出口１１は、商品収納ラック３から払い出された商品を利用者が受け取るための開口である。
【００２３】
コイン投入口は、利用者が硬貨を投入するための開口である。このコイン投入口を通じて投入された硬貨は、コインメック１２においてその金種が識別され、その後コイン回収箱１３に収容されることになる。一体表示器は、貨幣の投入金額、販売中であるか否か、釣銭があるか否か等、各種情報を利用者に表示するためのものである。コイン返却口は、コインメック１２において識別できなかった硬貨、あるいは釣銭となる硬貨を利用者に返却するための開口である。
【００２４】
そのような本実施の形態１である自動販売機は、上記構成の他に、図３に示すようなガイド部材２０を備えている。ガイド部材２０は、図４にも示すように、自動販売機前面、すなわち外扉５ｃの前面であって紙幣挿入口１０の近傍に配設してある。より詳細に説明すると、ガイド部材２０は、その縦断面が湾曲してなり、外扉５ｃの前面であって紙幣挿入口１０の下部域に接した基端部２１から先端部２２に向けて該前面から漸次離隔する態様で斜上方に向けて延設してある。このようなガイド部材２０の左右両端は、一対の側板２３に接合してある。
【００２５】
かかるガイド部材２０は、その上面２４に紙幣挿入口１０に挿入するための紙幣Ａを載置させ、該紙幣Ａが先端部２２から基端部２１に向けて摺動する場合に、図５に示すように、該紙幣Ａを紙幣挿入口１０に案内するものである。
【００２６】
以上のような構成を有する本実施の形態１の自動販売機においては、利用者がガイド部材２０の上面２４に紙幣Ａを載置させ、該紙幣Ａを上面２４に接した状態でガイド部材２０の先端部２２から基端部２１に向けて摺動させることにより、紙幣Ａは、紙幣挿入口１０より挿入され、ビルバリデータ１４に受け入れられて金種が識別されることになる。その後、利用者は、購入商品に対応する商品選択ボタン９を押下することにより、該商品を購入することが可能になる。
【００２７】
このように本実施の形態１である自動販売機によれば、縦断面が湾曲してなり、かつ基端部２１から先端部２２に向けて外扉５ｃの前面から漸次離隔する態様で斜上方に向けて延設したガイド部材２０が、その上面２４に紙幣Ａを載置し、該紙幣Ａが先端部２２から基端部２１に向けて摺動する場合に該紙幣Ａを紙幣挿入口１０に案内するので、利用者は片手で紙幣Ａを紙幣挿入口１０に挿入させることも可能になり、例えば手が不自由な身障者や、背の低い子供等が利用者であっても紙幣挿入口１０に紙幣Ａを比較的に容易に挿入させることができる。
【００２８】
以上、本発明の実施の形態１の好適な実施の形態について説明したが、本発明はこれに限定されるものではなく、種々の変更を行うことができる。
【００２９】
例えば、図６に示すように、外扉５ｃの前面における紙幣挿入口１０の直上域に配設され、ガイド部材２０の基端部２１に紙幣Ａを押さえつけ、自身の回転により該紙幣Ａを紙幣挿入口１０に挿入させるローラ部材３０を備えてもよい。このような構成によれば、利用者は、ガイド部材２０の上面２４に沿って紙幣Ａを摺動させれば、その後、ローラ部材３０の回転により該紙幣Ａを紙幣挿入口１０に挿入させることが可能になり、紙幣挿入口１０への紙幣Ａの挿入を更に容易なものとすることができる。
【００３０】
＜実施の形態２＞
図７は、本発明の実施の形態２である自動販売機の要部を拡大して模式的に示す模式図である。尚、上述した実施の形態１の自動販売機と同一の構成を有するものには同一の符号を付してその説明を省略する。
【００３１】
ここで例示する自動販売機（実施の形態２である自動販売機）は、受台４１と、載置検知部４２と、ローラ部材４３と、制御部４５とを備えている。受台４１は、外扉５ｃの前面であって紙幣挿入口１０の直下域において前方に突出する態様で配設され、上面４１ａが水平面をなすものである。かかる受台４１の上面４１ａは、紙幣Ａの一部を載置することが可能な大きさを有している。
【００３２】
載置検知部４２は、受台４１の上面４１ａに紙幣Ａの一部が載置されたことを検知する載置検知手段であり、検知した旨の信号を制御部４５に与えるものである。
【００３３】
ローラ部材４３は、ソレノイド４４が駆動することにより上昇移動及び下降移動可能に配設されており、下降移動して受台４１に紙幣Ａを押さえつけるとともに、図示せぬ駆動モータからの駆動力が伝達されることにより回転して該紙幣Ａを紙幣挿入口１０に挿入させるものである。
【００３４】
制御部４５は、載置検知部４２から検知した旨の信号が与えられた場合に、ソレノイド４４を駆動させてローラ部材４３を下降移動させるとともに、駆動モータを駆動させてローラ部材４３を回転させるものである。
【００３５】
このような構成を有する本実施の形態２の自動販売機では、利用者が受台４１の上面４１ａに紙幣Ａの一部を載置させると、載置検知部４２が載置された旨を検知して制御部４５に検知した旨の信号を与える。かかる信号が与えられた制御部４５は、ソレノイド４４を駆動させるとともに駆動モータを駆動させることにより、ローラ部材４３は、下降移動して該紙幣Ａを受台４１に押さえつけ、自身の回転により該紙幣Ａを紙幣挿入口１０に挿入させる。これにより、紙幣Ａは、ビルバリデータ１４に受け入れられて金種が識別されることになる。その後、利用者は、購入商品に対応する商品選択ボタン９を押下することにより、該商品を購入することが可能になる。
【００３６】
上記自動販売機によれば、載置検知部４２により受台４１に紙幣Ａが載置されたことが検知された場合に、ローラ部材４３が下降移動して受台４１に紙幣Ａを押さえつけ、自身の回転により該紙幣Ａを紙幣挿入口１０に挿入させるので、利用者は片手で紙幣Ａを紙幣挿入口１０に挿入させることも可能になり、例えば手が不自由な身障者や、背の低い子供等が利用者であっても紙幣挿入口１０に紙幣Ａを比較的に容易に挿入させることができる。
【産業上の利用可能性】
【００３７】
以上のように、本発明に係る自動販売機は、紙幣挿入口より紙幣が挿入されて紙幣処理機に受け入れられた場合、機内に収容する商品のうち選択された商品を払い出して販売するのに有用である。
【符号の説明】
【００３８】
１  本体キャビネット
５  扉体
５ｃ  外扉
９  商品選択ボタン
１０  紙幣挿入口
１４  ビルバリデータ
２０  ガイド部材
２１  基端部
２２  先端部
２４  上面
３０  ローラ部材
４１  受台
４２  載置検知部
４３  ローラ部材
４４  ソレノイド
４５  制御部
Ａ  紙幣
Ｓ  商品見本
【図１】
2010238073.tif 000003
【図２】
2010238073.tif 000004
【図３】
2010238073.tif 000005
【図４】
2010238073.tif 000006
【図５】
2010238073.tif 000007
【図６】
2010238073.tif 000008
【図７】
2010238073.tif 000009